(57)【特許請求の範囲】
【請求項１】
第１の容積を有する第１の区分空間部，上記第１の容積より大なる第２の容積を有する第２の区分空間部，上記第２の容積と略等しい第３の容積を有する第３の区分空間部及び上記第１の容積と略等しい第４の容積を有する第４の区分空間部が、順次連設される状態をもって配され、上記第１から第４の区分空間部が夫々スピーカ取付部分を有するものとされて形成されたスピーカキャビネットと、
上記第１から第４の区分空間部が有するスピーカ取付部分に夫々取り付けられた第１から第４のスピーカと、
を備えて構成され、
上記第１から第４のスピーカが、上記第１のスピーカの最低共振周波数より上記第２のスピーカの最低共振周波数が低く選定され、上記第３のスピーカの最低共振周波数が上記第１のスピーカの最低共振周波数より低く、かつ、上記第２のスピーカの最低共振周波数より高く選定され、さらに、上記第４のスピーカの最低共振周波数が上記第１のスピーカの最低共振周波数より高く選定されたものとされ、
上記第１のスピーカと上記第２のスピーカとが第１の低域音声信号により同時に駆動されるとともに、上記第３のスピーカと上記第４のスピーカとが第２の低域音声信号により同時に駆動される、
ことを特徴とする低音再生スピーカ装置。
【請求項２】
上記スピーカキャビネットが、上記第１の区分空間部に隣接された上記第１の容積より小なる第５の容積を有する第５の区分空間部と上記第４の区分空間部に隣接された上記第５の容積と略等しい第６の容積を有する第６の区分空間部とが設けられ、該第５及び第６の区分空間部が夫々スピーカ取付部分を有して形成されたものとされ、上記第５及び第６の区分空間部が有するスピーカ取付部分に第５及び第６のスピーカが夫々取り付けられるもとで、上記第５のスピーカの最低共振周波数が上記第４のスピーカの最低共振周波数より高く選定されるとともに、上記第６のスピーカの最低共振周波数が上記第５のスピーカの最低共振周波数より高く選定され、上記第５のスピーカが上記第１及び第２のスピーカと同時に上記第１の低域音声信号により駆動されるとともに、上記第６のスピーカが上記第３及び第４のスピーカと同時に上記第２の低域音声信号により駆動されることを特徴とする請求項１記載の低音再生スピーカ装置。
【請求項３】
上記第１から第４の区分空間部が各々有するスピーカ取付部分が、実質的に連続面内に在ることを特徴とする請求項１記載の低音再生スピーカ装置。
【請求項４】
上記第１から第６の区分空間部が各々有するスピーカ取付部分が、実質的に連続面内に在ることを特徴とする請求項２記載の低音再生スピーカ装置。
【請求項５】
上記第１の低域音声信号及び第２の低域音声信号が夫々ステレオ音声信号を成す左音声信号の低域成分及び右音声信号の低域成分とされることを特徴とする請求項１記載の低音再生スピーカ装置。
【請求項６】
上記第１の低域音声信号及び第２の低域音声信号が夫々ステレオ音声信号を成す左音声信号の低域成分及び右音声信号の低域成分とされることを特徴とする請求項２記載の低音再生スピーカ装置。
【発明の詳細な説明】
【０００１】
【発明の属する技術分野】
本願の特許請求の範囲に記載された発明は、低域音声信号によって駆動されるスピーカとそのスピーカが取り付けられるスピーカキャビネットとを備えて構成され、低域音声信号に基づく低音の再生に供される低音再生スピーカ装置に関する。
【０００２】
【従来の技術】
低音から高音まで比較的広い音域にわたる音楽等をあらわす音の再生にあたって、低音の再生を受け持つ低音再生スピーカ装置は、従来、比較的大なる口径を有し、比較的低い共振周波数を具えた低音用スピーカが、単独で、あるいは、中音用，高音用もしくはそれらの両者と共に、スピーカキャビネットに取り付けられて構成されている。そして、低音用スピーカが低域音声信号によって駆動されることにより、その低域音声信号に基づく低音が再生される。
【０００３】
このような低音再生スピーカ装置によって再生される低音は、例えば、数１００〜１ｋＨｚ以下の周波数成分を含んだ低域音声信号に基づくものとされるが、従来提案されている低音再生スピーカ装置にあっては、低音の中においての低周波数側の音、例えば、１００Ｈｚ未満の音についての出力音圧レベルが、低音の中においての高周波数側の音、例えば、１００Ｈｚ以上の音についての出力音圧レベルに比して低下してしまうのが一般的傾向である。従って、低音再生スピーカ装置としては、例えば、数１００〜１ｋＨｚ以下の周波数成分を含んだ低域音声信号により駆動される際、それにより再生される低音の中における低周波数側の音についての出力音圧レベルが高められることになる、例えば、数１００〜１ｋＨｚ以下の低周波数帯域の全体に亙って出来るだけ平坦とされる周波数対出力音圧レベル特性を持つものが望まれている。
【０００４】
【発明が解決しようとする課題】
しかしながら、従来提案されている低音再生スピーカ装置にあっては、予め設定される１通りの周波数特性をもって低域音声信号に基づく低音の再生を行うものとされるので、低域音声信号に対応する、例えば、数１００〜１ｋＨｚ以下の低周波数帯域における高周波数側から低周波数側に亙って略平坦とされる周波数対出力音圧レベル特性を具えることは困難とされている。そして、再生される低音の中における低周波数側の音についての出力音圧レベルが高められるようにされると、再生される低音の中における高周波数側の音についての出力音圧レベルが減少してしまうという不都合が生じることになる。
【０００５】
斯かる点に鑑み、本願の特許請求の範囲における請求項１から請求項６までのいずれかに記載された発明は、比較的低い共振周波数を具えた低音用スピーカがスピーカキャビネットに取り付けられて構成され、低音用スピーカが低域音声信号により駆動されて、低域音声信号に基づく低音を再生するにあたり、低域音声信号に対応する低周波数帯域での周波数対出力音圧レベル特性における平坦部の拡張とその低周波数帯域の全体に亙っての出力音圧レベルの増大とを実現できる低音再生スピーカ装置を提供する。
【０００６】
【課題を解決するための手段】
本願の特許請求の範囲における請求項１から請求項６までのいずれかに記載された発明に係る低音再生スピーカ装置は、第１の容積を有する第１の区分空間部，第１の容積より大なる第２の容積を有する第２の区分空間部，第２の容積と略等しい第３の容積を有する第３の区分空間部及び第１の容積と略等しい第４の容積を有する第４の区分空間部が、順次連設される状態をもって配され、第１から第４の区分空間部が夫々スピーカ取付部分を有するものとされて形成されたスピーカキャビネットと、第１から第４の区分空間部が有するスピーカ取付部分に夫々取り付けられた第１から第４のスピーカとを備えて構成され、第１から第４のスピーカが、第１のスピーカの最低共振周波数より第２のスピーカの最低共振周波数が低く選定され、第３のスピーカの最低共振周波数が第１のスピーカの最低共振周波数より低く、かつ、第２のスピーカの最低共振周波数より高く選定され、さらに、第４のスピーカの最低共振周波数が第１のスピーカの最低共振周波数より高く選定されたものとされ、第１のスピーカと第２のスピーカとが第１の低域音声信号により同時に駆動されるとともに、第３のスピーカと第４のスピーカとが第２の低域音声信号により同時に駆動されることを特徴とするものとされる。
【０００７】
特に、本願の特許請求の範囲における請求項２に記載された発明に係る低音再生スピーカ装置は、スピーカキャビネットが、上述の第１から第４の区分空間部に加えて、第１の区分空間部に隣接された第１の容積より小なる第５の容積を有する第５の区分空間部と第４の区分空間部に隣接された第５の容積と略等しい第６の容積を有する第６の区分空間部とが設けられ、第５及び第６の区分空間部が夫々スピーカ取付部分を有して形成されたものとされ、第５及び第６の区分空間部が有するスピーカ取付部分に第５及び第６のスピーカが夫々取り付けられるもとで、第５のスピーカの最低共振周波数が第４のスピーカの最低共振周波数より高く選定されるとともに、第６のスピーカの最低共振周波数が第５のスピーカの最低共振周波数より高く選定され、第５のスピーカが第１及び第２のスピーカと同時に第１の低域音声信号により駆動されるとともに、第６のスピーカが第３及び第４のスピーカと同時に第２の低域音声信号により駆動されることを特徴とするものとされる。
【０００８】
なお、本願の特許請求の範囲における請求項１から請求項６までのいずれかに記載された発明に係る低音再生スピーカ装置の場合、第１の低域音声信号及び第２の低域音声信号は、夫々、例えば、ステレオ音声信号を成す左音声信号の低域成分及び右音声信号の低域成分とされる。
【０００９】
上述の如くに構成される本願の特許請求の範囲における請求項１から請求項６までのいずれかに記載された発明に係る低音再生スピーカ装置においては、スピーカキャビネットに順次連設された第１から第４の区分空間部が、第１の区分空間部が有する第１の容積より第２の区分空間部が有する第２の容積が大であって、第３の区分空間部が有する第３の容積が第２の区分空間部が有する第２の容積と略等しく、さらに、第４の区分空間部が有する第４の容積が第１の区分空間部が有する第１の容積と略等しいものとされる。そして、第１から第４の区分空間部が有するスピーカ取付部分に夫々取り付けられた第１から第４のスピーカが、第１のスピーカの最低共振周波数より第２のスピーカの最低共振周波数が低く選定され、第３のスピーカの最低共振周波数が第１のスピーカの最低共振周波数より低く、かつ、第２のスピーカの最低共振周波数より高く選定され、さらに、第４のスピーカの最低共振周波数が第１のスピーカの最低共振周波数より高く選定されたものとされ、第１のスピーカと第２のスピーカとが第１の低域音声信号により同時に駆動されるとともに、第３のスピーカと第４のスピーカとが第２の低域音声信号により同時に駆動される。それにより、各スピーカとそれに対応する区分空間部とにより得られる、低音の再生に際しての周波数特性が、スピーカと区分空間部との組毎に互いに異なるものとされる。
【００１０】
即ち、本願の特許請求の範囲における請求項１から請求項６までのいずれかに記載された発明に係る低音再生スピーカ装置にあっては、第１の容積を有した第１の区分空間部と第１の最低共振周波数を有した第１のスピーカとで成る組に隣接して、第１の容積より大なる第２の容積を有した第２の区分空間部と第１の最低共振周波数より低い第２の最低共振周波数を有した第２のスピーカとで成る組が配され、それに隣接して、第２の容積と略等しい第３の容積を有した第３の区分空間部と第１のスピーカの最低共振周波数より低く、かつ、第２のスピーカの最低共振周波数より高い第３の最低共振周波数を有した第３のスピーカとで成る組が配され、さらに、それに隣接して、第１の容積と略等しい第４の容積を有した第４の区分空間部と第１の最低共振周波数より高い第４の最低共振周波数を有した第４のスピーカとで成る組が配されて、第１の区分空間部と第１のスピーカとで成る組，第２の区分空間部と第２のスピーカとで成る組，第３の区分空間部と第３のスピーカとで成る組及び第４の区分空間部と第４のスピーカとで成る組が、互いに異なる周波数特性、例えば、互いに異なる周波数対出力音圧レベル特性及び互いに異なる周波数対インピーダンス特性を呈するもとで、第１及び第２のスピーカが第１の低域音声信号により同時に駆動されるとともに、第３及び第４のスピーカが第２の低域音声信号により同時に駆動されることによって、第１及び第２の低域音声信号に基づく低音の再生が行われる。このような、第１から第４の区分空間部の容積の選定及び第１から第４のスピーカの最低共振周波数の選定により、装置全体として、第１及び第２の低域音声信号の夫々に対応する低周波数帯域での周波数対出力音圧レベル特性における平坦部が低周波数側に拡張されるとともに、その低周波数帯域の全体に亙っての出力音圧レベルの増大が図られることになる。
【００１１】
そして、特に、本願の特許請求の範囲における請求項２に記載された発明に係る低音再生スピーカ装置においては、スピーカキャビネットに、上述の第１から第４の区分空間部に加え、第１の容積より小なる第５の容積を有した第５の区分空間部が第１の区分空間部に隣接して設けられるとともに、第５の容積と略等しい第６の容積を有した第６の区分空間部が第４の区分空間部に隣接して設けられ、第５の区分空間部が有するスピーカ取付部分に取り付けられた第５のスピーカが有する第５の最低共振周波数が第４の最低共振周波数より高く選定されるとともに、第６の区分空間部が有するスピーカ取付部分に取り付けられた第６のスピーカが有する第６の最低共振周波数が第５の最低共振周波数より高く選定されて、第５，第１及び第２のスピーカが第１の低域音声信号により同時に駆動されるとともに、第３, 第４及び第６のスピーカが第２の低域音声信号により同時に駆動される。それにより、各スピーカとそれに対応する区分空間部とにより得られる、低音の再生に際しての周波数特性が、スピーカと区分空間部との組毎に互いに異なるものとされる。
【００１２】
即ち、本願の特許請求の範囲における請求項２に記載された発明に係る低音再生スピーカ装置にあっては、第１の区分空間部と第１のスピーカとで成る組，第２の区分空間部と第２のスピーカとで成る組，第３の区分空間部と第３のスピーカとで成る組及び第４の区分空間部と第４のスピーカとで成る組に加えて、第１の容積より小なる第５の容積を有した第５の区分空間部と第４の最低共振周波数より高い第５の最低共振周波数を有した第５のスピーカとで成る組が、第１の区分空間部と第１のスピーカとで成る組に隣接して配され、また、第５の容積と略等しい第６の容積を有した第６の区分空間部と第５の最低共振周波数より高い第６の最低共振周波数を有した第６のスピーカとで成る組が、第４の区分空間部と第４のスピーカとで成る組に隣接して配されたもとで、第５，第１及び第２のスピーカが第１の低域音声信号により同時に駆動されるとともに、第３，第４及び第６のスピーカが第２の低域音声信号により同時に駆動されることによって、第１及び第２の低域音声信号に基づく低音の再生が行われる。このような、第１から第６の区分空間部の容積の選定及び第１から第６のスピーカの最低共振周波数の選定により、装置全体として、第１及び第２の低域音声信号の夫々に対応する低周波数帯域での周波数対出力音圧レベル特性における平坦部がより一層低周波数側に拡張されるとともに、その低周波数帯域の全体に亙っての出力音圧レベルのより一層の増大が図られることになる。
【００１３】
第１の低域音声信号及び第２の低域音声信号は、夫々、例えば、ステレオ音声信号を成す左音声信号の低域成分及び右音声信号の低域成分とされ、その際には、第１の区分空間部と第１のスピーカとで成る組及び第２の区分空間部と第２のスピーカとで成る組、あるいは、第５の区分空間部と第５のスピーカとで成る組，第１の区分空間部と第１のスピーカとで成る組及び第２の区分空間部と第２のスピーカとで成る組と、第３の区分空間部と第３のスピーカとで成る組及び第４の区分空間部と第４のスピーカとで成る組、あるいは、第３の区分空間部と第３のスピーカとで成る組，第４の区分空間部と第４のスピーカとで成る組及び第６の区分空間部と第６のスピーカとで成る組とから、改善された左右ステレオ低音が得られる。
【００１４】
【発明の実施の形態】
図３は、本願の特許請求の範囲における請求項１から請求項６までのいずれかに記載された発明に係る低音再生スピーカ装置の一例の外観を示す。
【００１５】
図３に示される例は、全体として直方体状を成すスピーカキャビネト１１と、スピーカキャビネト１１に一列に配列されて取り付けられた６個の低音用スピーカ１２Ａ，１２Ｂ，１２Ｃ，１２Ｄ，１２Ｅ及び１２Ｆと、スピーカキャビネト１１に係合するフロントカバー１３と備えている。そして、斯かる例の実際の使用時においては、スピーカキャビネト１１に取り付けられた６個の低音用スピーカ１２Ａ〜１２Ｆの前方側が、スピーカキャビネト１１に係合したフロントカバー１３によって被われる。
【００１６】
図１及び図２は、図３に示される例におけるスピーカキャビネト１１とそれに取り付けられた６個の低音用スピーカ１２Ａ〜１２Ｆとを示す。
【００１７】
図１に示されるスピーカキャビネト１１は、その内部が中央隔壁部２１により二分されていて、中央隔壁部２１の左方に、容積を互いに異にする３個の区分空間部２２Ａ，２２Ｂ及び２２Ｃが形成されており、また、中央隔壁部２１の右方に、容積を互いに異にする３個の区分空間部２２Ｄ，２２Ｅ及び２２Ｆが形成されている。３個の区分空間部２２Ａ，２２Ｂ及び２２Ｃは、区分空間部２２Ａの容積＜区分空間部２２Ｂの容積第＜区分空間部２２Ｃの容積という関係にあり、全体で第１の区分空間部の組を形成している。また、３個の区分空間部２２Ｄ，２２Ｅ及び２２Ｆは、区分空間部２２Ｄの容積＞区分空間部２２Ｅの容積第＞区分空間部２２Ｆの容積という関係にあり、全体で第２の区分空間部の組を形成している。
【００１８】
３個の区分空間部２２Ａ，２２Ｂ及び２２Ｃは、図１及び図２に示される如くの、スピーカ取付部分２３Ａ，２３Ｂ及び２３Ｃを夫々有している。これらのスピーカ取付部分２３Ａ，２３Ｂ及び２３Ｃは、全体として１枚の平板状を成すものとされており、実質的に連続面内に在って、実質的に同方向に向いている。同様に、３個の区分空間部２２Ｄ，２２Ｅ及び２２Ｆは、図１及び図２に示される如くの、スピーカ取付部分２３Ｄ，２３Ｅ及び２３Ｆを夫々有している。これらのスピーカ取付部分２３Ｄ〜２３Ｆも、全体として１枚の平板状を成すものとされており、実質的に連続面内に在って、実質的に同方向に向いている。
【００１９】
そして、図１及び図２に示される如く、第１の区分空間部の組を成す３個の区分空間部２２Ａ，２２Ｂ及び２２Ｃが有するスピーカ取付部分２３Ａ，２３Ｂ及び２３Ｃに、低音用スピーカ１２Ａ，１２Ｂ及び１２Ｃが夫々取り付けられており、また、第２の区分空間部の組を成す３個の区分空間部２２Ｄ，２２ＢＥび２２Ｆが有するスピーカ取付部分２３Ｄ，２３Ｅ及び２３Ｆに、低音用スピーカ１２Ｄ，１２Ｅ及び１２Ｆが夫々取り付けられている。低音用スピーカ１２Ａ，１２Ｂ及び１２Ｃは、各々の大部分が夫々区分空間部２２Ａ，２２Ｂ及び２２Ｃ内に配される状態におかれていて、全体で第１のスピーカの組を形成している。また、低音用スピーカ１２Ｄ，１２Ｅ及び１２Ｆは、各々の大部分が夫々区分空間部２２Ｄ，２２Ｅ及び２２Ｆ内に配される状態におかれていて、全体で第２のスピーカの組を形成している。
【００２０】
第１のスピーカの組を成す低音用スピーカ１２Ａ，１２Ｂ及び１２Ｃは、同一の低域音声信号により同時に駆動されるものとなされており、また、第２のスピーカの組を成す低音用スピーカ１２Ｄ，１２Ｅ及び１２Ｆも、同一の低域音声信号により同時に駆動されるものとなされている。
【００２１】
そして、第１のスピーカの組を成す低音用スピーカ１２Ａ，１２Ｂ及び１２Ｃ、及び、第２のスピーカの組を成す低音用スピーカ１２Ｄ，１２Ｅ及び１２Ｆの合計６の低音用スピーカ１２Ａ〜１２Ｆは、図２に示される如くに、口径については実質的に同一とされているが、互いに異なる最低共振周波数ｆa ，ｆb ，ｆc ，ｆd ，ｆe 及びｆf を夫々有するものとされる。具体的な一例にあっては、低音用スピーカ１２Ａの最低共振周波数ｆa が約７８Ｈｚ，低音用スピーカ１２Ｂの最低共振周波数ｆb が約５４Ｈｚ，低音用スピーカ１２Ｃの最低共振周波数ｆc が約４０Ｈｚ，低音用スピーカ１２Ｄの最低共振周波数ｆd が約４５Ｈｚ，低音用スピーカ１２Ｅの最低共振周波数ｆe が約６４Ｈｚ，低音用スピーカ１２Ｆの最低共振周波数ｆf が約８９Ｈｚに選定される。
【００２２】
上述の如くに、第１の区分空間部の組を成す３個の区分空間部２２Ａ，２２Ｂ及び２２Ｃが互いに異なる容積を有するものとされるとともに、第２の区分空間部の組を成す３個の区分空間部２２Ｄ，２２Ｅ及び２２Ｆが互いに異なる容積を有するものとされ、さらに、第１のスピーカの組を成す３個の低音用スピーカ１２Ａ，１２Ｂ及び１２Ｃが互いに異なる最低共振周波数ｆa ，ｆb 及びｆc を夫々有するものとされるとともに、第２のスピーカの組を成す３個の低音用スピーカ１２Ｄ，１２Ｅ及び１２Ｆが互いに異なる最低共振周波数ｆd ，ｆe 及びｆf を夫々有するものとされることにより、低音用スピーカ１２Ａとそれが取り付けられたスピーカ取付部分２３Ａを有する区分空間部２２Ａとの組合せを音再生部Ｒａ，低音用スピーカ１２Ｂとそれが取り付けられたスピーカ取付部分２３Ｂを有する区分空間部２２Ｂとの組合せを音再生部Ｒｂ，低音用スピーカ１２Ｃとそれが取り付けられたスピーカ取付部分２３Ｃを有する区分空間部２２Ｃとの組合せを音再生部Ｒｃ，低音用スピーカ１２Ｄとそれが取り付けられたスピーカ取付部分２３Ｄを有する区分空間部２２Ｄとの組合せを音再生部Ｒｄ，低音用スピーカ１２Ｅとそれが取り付けられたスピーカ取付部分２３Ｅを有する区分空間部２２Ｅとの組合せを音再生部Ｒｅ，低音用スピーカ１２Ｆとそれが取り付けられたスピーカ取付部分２３Ｆを有する区分空間部２２Ｆとの組合せを音再生部Ｒｆとすると、音再生部Ｒａ〜Ｒｆは、互いに異なった周波数特性、例えば、周波数対出力音圧レベル特性、周波数対インピーダンス特性等を有することになる。
【００２３】
低音用スピーカ１２Ａ〜１２Ｆの夫々に同一の音声信号が供給されるもとで得られる音再生部Ｒａ〜Ｒｆの夫々の周波数対出力音圧レベル特性は、例えば、図４において、曲線Ｌa ，Ｌb ，Ｌc ，Ｌd ，Ｌe 及びＬf により示される如くに、互いに異なったものに設定される（曲線Ｌa が音再生部Ｒａの周波数対出力音圧レベル特性を、曲線Ｌｂが音再生部Ｒｂの周波数対出力音圧レベル特性を、曲線Ｌｃが音再生部Ｒｃの周波数対出力音圧レベル特性を、曲線Ｌｄが音再生部Ｒｄの周波数対出力音圧レベル特性を、曲線Ｌｅが音再生部Ｒｅの周波数対出力音圧レベル特性を、曲線Ｌｆが音再生部Ｒｆの周波数対出力音圧レベル特性を夫々示す）。そして、このように音再生部Ｒａ〜Ｒｆの夫々の周波数対出力音圧レベル特性が設定されることにより、図１〜図３に示される例の全体の周波数対出力音圧レベル特性は、例えば、図４において曲線Ｌｏにより示される如くのものとされる。この曲線Ｌｏにより示される周波数対出力音圧レベル特性は、例えば、５００Ｈｚ以下の低周波数帯域において、その中の上限周波数から５０Ｈｚ程度の極めて低い周波数に至るまで平坦化され、しかも、全体に亙って出力音圧レベルが増大されたものとなっている。
【００２４】
また、低音用スピーカ１２Ａ〜１２Ｆの夫々に同一の低域音声信号が供給されるもとでの低音用スピーカ１２Ａ〜１２Ｆの夫々についての周波数対インピーダンス特性は、例えば、図５において、曲線Ｉa ，Ｉb ，Ｉc ，Ｉd ，Ｉe 及びＩf により示される如くに、互いに異なったものに設定される（曲線Ｉa が低音用スピーカ１２Ａの周波数対インピーダンス特性を、曲線Ｉｂが低音用スピーカ１２Ｂの周波数対インピーダンス特性を、曲線Ｉｃが低音用スピーカ１２Ｃの周波数対インピーダンス特性を、曲線Ｉｄが低音用スピーカ１２Ｄの周波数対インピーダンス特性を、曲線Ｉｅが低音用スピーカ１２Ｅの周波数対インピーダンス特性を、曲線Ｉｆが低音用スピーカ１２Ｆの周波数対インピーダンス特性を夫々示す）。
【００２５】
これらの曲線Ｉa 〜Ｉｆにより夫々示される低音用スピーカ１２Ａ〜１２Ｆについての周波数対インピーダンス特性から、低音用スピーカ１２Ａが最低共振周波数ｆa においてインピーダンスのピーク値をとり、低音用スピーカ１２Ｂが最低共振周波数ｆb においてインピーダンスのピーク値をとり、低音用スピーカ１２Ｃが最低共振周波数ｆc においてインピーダンスのピーク値をとり、低音用スピーカ１２Ｄが最低共振周波数ｆd においてインピーダンスのピーク値をとり、低音用スピーカ１２Ｅが最低共振周波数ｆe においてインピーダンスのピーク値をとり、低音用スピーカ１２Ｆが最低共振周波数ｆf においてインピーダンスのピーク値をとることが分かる。
【００２６】
このようなもとで、図１〜図３に示される例が実際に低音再生に供されるに際しては、図示が省略された信号供給回路を通じて、例えば、第１のスピーカの組を成す低音用スピーカ１２Ａ，１２Ｂ及び１２Ｃに、左音声信号と右音声信号とを含んだステレオ音声信号における左音声信号の低域成分が共通に供給されるとともに、第２のスピーカの組を成す低音用スピーカ１２Ｄ，１２Ｅ及び１２Ｆに、左音声信号と右音声信号とを含んだステレオ音声信号における右音声信号の低域成分が共通に供給される。即ち、第１のスピーカの組を成す低音用スピーカ１２Ａ，１２Ｂ及び１２Ｃが、左音声信号の低域成分とされる同一の低域音声信号により同時に駆動されるとともに、第２のスピーカの組を成す低音用スピーカ１２Ｄ，１２Ｅ及び１２Ｆが、右音声信号の低域成分とされる同一の低域音声信号により同時に駆動されるのである。
【００２７】
それにより、低音用スピーカ１２Ａとそれに対応するスピーカ取付部分２３Ａを有する区分空間部２２Ａとの組合せにより形成される音再生部Ｒａによって、例えば、図４において曲線Ｌａが示す如くの周波数対出力音圧レベル特性と図５において曲線Ｉａが示す如くの周波数対インピーダンス特性とが呈されるもとで、左音声信号の低域成分に基づく低音が再生され、また、低音用スピーカ１２Ｂとそれに対応するスピーカ取付部分２３Ｂを有する区分空間部２２Ｂとの組合せにより形成される音再生部Ｒｂによって、例えば、図４において曲線Ｌｂが示す如くの周波数対出力音圧レベル特性と、図５において曲線Ｉｂが示す如くの周波数対インピーダンス特性とが呈されるもとで、左音声信号の低域成分に基づく低音が再生され、さらに、低音用スピーカ１２Ｃとそれに対応するスピーカ取付部分２３Ｃを有する区分空間部２２Ｃとの組合せにより形成される音再生部Ｒｃによって、例えば、図４において曲線Ｌｃが示す如くの周波数対出力音圧レベル特性と、図５において曲線Ｉｃが示す如くの周波数対インピーダンス特性とが呈されるもとで、左音声信号の低域成分に基づく低音が再生される。
【００２８】
また、低音用スピーカ１２Ｄとそれに対応するスピーカ取付部分２３Ｄを有する区分空間部２２Ｄとの組合せにより形成される音再生部Ｒｄによって、例えば、図４において曲線Ｌｄが示す如くの周波数対出力音圧レベル特性と、図５において曲線Ｉｄが示す如くの周波数対インピーダンス特性とが呈されるもとで、右音声信号の低域成分に基づく低音が再生され、また、低音用スピーカ１２Ｅとそれに対応するスピーカ取付部分２３Ｅを有する区分空間部２２Ｅとの組合せにより形成される音再生部Ｒｅによって、例えば、図４において曲線Ｌｅが示す如くの周波数対出力音圧レベル特性と、図５において曲線Ｉｅが示す如くの周波数対インピーダンス特性とが呈されるもとで、右音声信号の低域成分に基づく低音が再生され、さらに、低音用スピーカ１２Ｆとそれに対応するスピーカ取付部分２３Ｆを有する区分空間部２２Ｆとの組合せにより形成される音再生部Ｒｆによって、例えば、図４において曲線Ｌｆが示す如くの周波数対出力音圧レベル特性と、図５において曲線Ｉｆが示す如くの周波数対インピーダンス特性とが呈されるもとで、右音声信号の低域成分に基づく低音が再生される。
【００２９】
その結果、音再生部Ｒａ〜Ｒｆを含んだ図１〜図３に示される例にあっては、例えば、図４において曲線Ｌｏが示す如くの周波数対出力音圧レベル特性が呈されるもとで、従って、例えば、５００Ｈｚ以下とされる低周波数帯域での周波数対出力音圧レベル特性における平坦部の拡張とその低周波数帯域の全体に亙っての出力音圧レベルの増大とが実現されるもとで、右音声信号の低域成分及び左音声信号の低域成分の両者に基づく低音が再生されることになる。
【００３０】
上述の図１〜図３に示される例にあっては、第１の区分空間部の組を成す区分空間部２２Ａ，２２Ｂ及び２２Ｃが夫々有するスピーカ取付部分２３Ａ，２３Ｂ及び２３Ｃが、全体として１枚の平板状を成すものとされており、また、第２の区分空間部の組を成す区分空間部２２Ｄ，２２Ｅ及び２２Ｆが夫々有するスピーカ取付部分２３Ｄ，２３Ｅ及び２３Ｆも、全体として１枚の平板状を成すものとされているが、スピーカ取付部分２３Ａ，２３Ｂ及び２３Ｃの組、及び、スピーカ取付部分２３Ｄ，２３Ｅ及び２３Ｆの組の夫々は、全体として１枚の曲板状をなして、実質的に連続面内に在るものとされてもよく、さらには、スピーカ取付部分２３Ａ，２３Ｂ及び２３Ｃが相互間に段差を有するとともに、スピーカ取付部分２３Ｄ，２３Ｅ及び２３Ｆも相互間に段差を有するようにされてもよい。
【００３１】
また、上述の図１〜図３に示される例にあっては、第１及び第２の区分空間部の組と第１及び第２のスピーカの組とが備えられているが、本願の特許請求の範囲における請求項１から請求項６までのいずれかに記載された発明に係る低音再生スピーカ装置の例にあっては、図１〜図３に示される例における第１及び第２の区分空間部の組のうちのいずれか一方に相当する複数の区分空間部と、それに対応する第１及び第２のスピーカの組のうちのいずれか一方に相当する複数の低音用スピーカとが備えられ、複数の低音用スピーカが同一の音声信号の低域成分によって駆動される。斯かる例は、容積を互いに異にする複数の区分空間部が各々スピーカ取付部分を有して形成されたスピーカキャビネットと、複数の区分空間部が各々有するスピーカ取付部分に夫々取り付けられた、最低共振周波数を互いに異にし、実質的に同一の低域音声信号により同時に駆動されるものとされる複数のスピーカとを備えて構成されることになる。
【００３２】
さらに、本願の特許請求の範囲における請求項１から請求項６までのいずれかに記載された発明に係る低音再生スピーカ装置は、スピーカキャビネット内に形成される区分空間部の数、及び、スピーカの数については、上述の図１〜図３に示される例に限られることなく、任意の複数の区分空間部とスピーカとを備えることができる。
【００３３】
【発明の効果】
以上の説明から明らかな如く、本願の特許請求の範囲における請求項１から請求項６までのいずれかに記載された発明に係る低音再生スピーカ装置によれば、第１の容積を有した第１の区分空間部と第１の最低共振周波数を有した第１のスピーカとで成る組に隣接して、第１の容積より大なる第２の容積を有した第２の区分空間部と第１の最低共振周波数より低い第２の最低共振周波数を有した第２のスピーカとで成る組が配され、それに隣接して、第２の容積と略等しい第３の容積を有した第３の区分空間部と第１のスピーカの最低共振周波数より低く、かつ、第２のスピーカの最低共振周波数より高い第３の最低共振周波数を有した第３のスピーカとで成る組が配され、さらに、それに隣接して、第１の容積と略等しい第４の容積を有した第４の区分空間部と第１の最低共振周波数より高い第４の最低共振周波数を有した第４のスピーカとで成る組が配されて、第１の区分空間部と第１のスピーカとで成る組，第２の区分空間部と第２のスピーカとで成る組，第３の区分空間部と第３のスピーカとで成る組及び第４の区分空間部と第４のスピーカとで成る組が、互いに異なる周波数特性、例えば、互いに異なる周波数対出力音圧レベル特性及び互いに異なる周波数対インピーダンス特性を呈するもとで、第１及び第２のスピーカが第１の低域音声信号により同時に駆動されるとともに、第３及び第４のスピーカが第２の低域音声信号により同時に駆動されることによって、第１及び第２の低域音声信号に基づく低音の再生が行われる。それにより、装置全体として、第１及び第２の低域音声信号の夫々に対応する低周波数帯域での周波数対出力音圧レベル特性における平坦部を低周波数側に拡張でき、かつ、その低周波数帯域の全体に亙っての出力音圧レベルの増大を図ることができることになる。
【００３４】
特に、本願の特許請求の範囲における請求項２に記載された発明に係る低音再生スピーカ装置によれば、第１の区分空間部と第１のスピーカとで成る組，第２の区分空間部と第２のスピーカとで成る組，第３の区分空間部と第３のスピーカとで成る組及び第４の区分空間部と第４のスピーカとで成る組に加えて、第１の容積より小なる第５の容積を有した第５の区分空間部と第４の最低共振周波数より高い第５の最低共振周波数を有した第５のスピーカとで成る組が、第１の区分空間部と第１のスピーカとで成る組に隣接して配され、また、第５の容積と略等しい第６の容積を有した第６の区分空間部と第５の最低共振周波数より高い第６の最低共振周波数を有した第６のスピーカとで成る組が、第４の区分空間部と第４のスピーカとで成る組に隣接して配されたもとで、第５，第１及び第２のスピーカが第１の低域音声信号により同時に駆動されるとともに、第３，第４及び第６のスピーカが第２の低域音声信号により同時に駆動されることによって、第１及び第２の低域音声信号に基づく低音の再生が行われる。それにより、装置全体として、第１及び第２の低域音声信号の夫々に対応する低周波数帯域での周波数対出力音圧レベル特性における平坦部をより一層低周波数側に拡張でき、かつ、その低周波数帯域の全体に亙っての出力音圧レベルのより一層の増大を図ることができることになる。
【００３５】
そして、本願の特許請求の範囲における請求項１から請求項６までのいずれかに記載された発明に係る低音再生スピーカ装置にあっては、第１の低域音声信号及び第２の低域音声信号は、夫々、例えば、ステレオ音声信号を成す左音声信号の低域成分及び右音声信号の低域成分とされ、その際には、第１の区分空間部と第１のスピーカとで成る組及び第２の区分空間部と第２のスピーカとで成る組、あるいは、第５の区分空間部と第５のスピーカとで成る組，第１の区分空間部と第１のスピーカとで成る組及び第２の区分空間部と第２のスピーカとで成る組と、第３の区分空間部と第３のスピーカとで成る組及び第４の区分空間部と第４のスピーカとで成る組、あるいは、第３の区分空間部と第３のスピーカとで成る組，第４の区分空間部と第４のスピーカとで成る組及び第６の区分空間部と第６のスピーカとで成る組とから、改善された左右ステレオ低音が得られる。
【図面の簡単な説明】
【図１】  本願の特許請求の範囲における請求項１から請求項６までのいずれかに記載された発明に係る低音再生スピーカ装置の一例におけるスピーカキャビネトとそれに取り付けられた低音用スピーカとを示す断面図である。
【図２】  本願の特許請求の範囲における請求項１から請求項６までのいずれかに記載された発明に係る低音再生スピーカ装置の一例におけるスピーカキャビネトとそれに取り付けられた低音用スピーカとを示す正面図である。
【図３】  本願の特許請求の範囲における請求項１から請求項６までのいずれかに記載された発明に係る低音再生スピーカ装置の一例を示す斜視図である。
【図４】図２及び図３に示されるスピーカキャビネトとそれに取り付けられた低音用スピーカとの説明に供される特性図である。
【図５】図２及び図３に示されるスピーカキャビネトとそれに取り付けられた低音用スピーカとの説明に供される特性図である。
【符号の説明】
１１  スピーカキャビネット      １２Ａ，１２Ｂ，１２Ｃ，１２Ｄ，１２Ｅ，１２Ｆ  低音用スピーカ      １３  フロントカバー      ２１  中央隔壁部
２２Ａ，２２Ｂ，２２Ｃ，２２Ｄ，２２Ｅ，２２Ｆ  区分空間部      ２３Ａ，２３Ｂ，２３Ｃ，２３Ｄ，２３Ｅ，２３Ｆ  スピーカ取付部分      Ｒａ，Ｒｂ，Ｒｃ，Ｒｄ，Ｒｅ，Ｒｆ  音再生部
【図１】
0003956470.tif 000002
【図２】
0003956470.tif 000003
【図３】
0003956470.tif 000004
【図４】
0003956470.tif 000005
【図５】
0003956470.tif 000006